(57)【要約】【課題】不使用時の省スペース化を図りつつ、簡易な構成で洗い易く衛生的なトングを提供することを目的とする。【解決手段】使用時に挟持部５同士を離間させる弾性力を有する連結金具７を、不使用時に１８０°反転させ、折り曲げ部15を挟持部５に最も近づけた位置に配置し、連結金具７の一端部16及び他端部17による弾性力によって挟持部５同士を近接させるようにしたことにより、当該連結金具７によって挟持部５同士が離間することを防止でき、かくして不使用時の省スペース化を図ることができる。また連結金具７を第１のトング半体２及び第２のトング半体３に回動自在に設けるだけなので、機械的機構を全て外部に露出させ、当該機械的機構に付着した汚れ等を容易に洗い落とすことができ、かくして簡易な構成で洗い易く衛生的なトング１を提供することができる。【選択図】図１
2008188090.tif 000002
【特許請求の範囲】
【請求項１】
先端に挟持部をそれぞれ有する第１のトング半体及び第２のトング半体と、
前記第１のトング半体及び第２のトング半体の基端に設けられたＶ字状の連結部材と、
前記第１のトング半体に前記連結部材の一端部を回動自在に設けると共に、前記第２のトング半体に前記連結部材の他端部を回動自在に設ける回動手段と
を備えることを特徴とするトング。
【請求項２】
前記連結部材は、前記一端部及び前記他端部間の折り曲げ部が前記挟持部から遠ざかった位置に配置されると、前記一端部及び前記他端部間の弾性力によって前記挟持部同士を離間させ、前記折り曲げ部が前記挟持部に近づいた位置に配置されると、前記第１のトング半体及び第２のトング半体の基端を近接させたまま、前記弾性力によって前記挟持部同士を近接させる
ことを特徴とする請求項１記載のトング。
【請求項３】
前記連結部材は板状部材からなり、前記一端部の面部が前記第２のトング半体の内面に前記回動手段によって回動自在に設けられていると共に、前記他端部の面部が前記第２のトング半体の内面に前記回動手段によって回動自在に設けられている
ことを特徴とする請求項２記載のトング。
【請求項４】
前記第１及び第２のトング半体の基端には、前記第１及び第２のトング半体を回動自在に連結する回動連結部を備え、
前記折り曲げ部が前記挟持部に近づいた位置に移動したとき、前記回動連結部が前記弾性力を抗して前記第１及び第２のトング半体を平行に配置させる
ことを特徴とする請求項２又は３記載のトング。
【請求項５】
前記第１及び第２のトング半体には、前記折り曲げ部が前記挟持部から遠ざかった位置及び前記折り曲げ部が前記挟持部に近づいた位置のうち少なくともいずれか一方の位置で前記連結部材を位置決めする位置決め部を備える
ことを特徴とする請求項２〜４のうちいずれか１項記載のトング。
【発明の詳細な説明】
【技術分野】
【０００１】
本発明はトングに関し、例えばパン等の食品や直接手で保持し難い物等この他種々の物品を間接的に保持するトングに適用して好適なものである。
【背景技術】
【０００２】
例えばレストランなどにおいて、大皿に盛られた料理等を好みに応じて、自ら小皿に必要量だけ取分ける保持具としてトングが知られている。
【０００３】
このようなトングは、板状でなる一対の把持部の先端に物品を挟持するための挟持部がそれぞれ設けられていると共に、当該一対の把持部の基端が弾性力を有するようにＵ字状に一体成形されている。これによりトングは、利用者が一対の把持部を片手で持ち、弾性力に抗して当該一対の把持部に対して外力が加えられることにより、挟持部同士が近接し、当該挟持部間で料理などの食品を挟むことができるように構成されている。
【０００４】
ところで、このようなトングは、不使用時、使用者によって把持部に外力が加えられていないため、弾性力によって常に先端の挟持部の開度が最大になり、その結果その分だけ収容スペースが大きくなるので保管し難いという問題があった。そこで、このような問題点を解決するため不使用時には、挟持部同士を近接させた状態で金具によって把持部を止めることにより、挟持部同士が離間して開状態となることを防止し、収納スペースを極力小さくすることが考えられる。
【０００５】
しかしながら、このようにトングと別体からなる金具を別途用いた場合には、トングの使用時、金具をトングから取り外すため、当該金具を紛失する虞があり、また金具を紛失しないようにするため使用者が当該金具を手で保持しながらトングを使用すると、当該金具が邪魔になるという問題がある。
【０００６】
また、このような問題点を解決するために、挟持手段の基端側に軸支され、この挟持手段の変形方向に対して垂直な面上で回動する短円柱状の回動部材と、この回動部材の円周面に開度の異なる複数の開口を設け、回動部材を回動させることで当該開口を変え、当該開口から突出する一対の挟持手段の最大開度を制限する開度制限部とを備えたトングも考えられている（例えば、特許文献１参照）。
【特許文献１】特開２００２−４２９号公報
【発明の開示】
【発明が解決しようとする課題】
【０００７】
しかしながら、かかる構成のトングでは、回動部材の複雑な回動機構が短円柱状の外郭の内部空間に設けられ、当該回動機構が外部に露出しないため、当該回動機構に付着した汚れを洗い落とし難く、不衛生であるという問題があった。
【０００８】
本発明は以上の点を考慮してなされたもので、不使用時の省スペース化を図りつつ、簡易な構成で洗い易く衛生的なトングを提供することを目的とする。
【課題を解決するための手段】
【０００９】
本発明の請求項１記載のトングは、先端に挟持部をそれぞれ有する第１のトング半体及び第２のトング半体と、前記第１のトング半体及び第２のトング半体の基端に設けられたＶ字状の連結部材と、前記第１のトング半体の基端側に前記連結部材の一端部を回動自在に設けると共に、前記第２のトング半体の基端側に前記連結部材の他端部を回動自在に設ける回動手段とを備えることを特徴とするものである。
【００１０】
本発明の請求項２記載のトングは、前記連結部材は、前記一端部及び前記他端部間の折り曲げ部が前記挟持部から遠ざかった位置に配置されると、前記一端部及び前記他端部間の弾性力によって前記挟持部同士を離間させ、前記折り曲げ部が前記挟持部に近づいた位置に配置されると、前記第１のトング半体及び第２のトング半体の基端を近接させたまま、前記弾性力によって前記挟持部同士を近接させることを特徴とするものである。
【００１１】
本発明の請求項３記載のトングは、前記連結部材は板状部材からなり、前記一端部の面部が前記第２のトング半体の内面に前記回動手段によって回動自在に設けられていると共に、前記他端部の面部が前記第２のトング半体の内面に前記回動手段によって回動自在に設けられていることを特徴とするものである。
【００１２】
本発明の請求項４記載のトングは、前記第１及び第２のトング半体の基端には、前記第１及び第２のトング半体を回動自在に連結する回動連結部を備え、前記折り曲げ部が前記挟持部に近づいた位置に移動したとき、前記回動連結部が前記弾性力を抗して前記第１及び第２のトング半体を平行に配置させることを特徴とするものである。
【００１３】
本発明の請求項５記載のトングは、前記第１及び第２のトング半体には、前記折り曲げ部が前記挟持部から遠ざかった位置及び前記折り曲げ部が前記挟持部に近づいた位置のうち少なくともいずれか一方の位置で前記連結部材を位置決めする位置決め部を備えることを特徴とするものである。
【発明の効果】
【００１４】
本発明の請求項１記載のトングによれば、不使用時には連結部材を回動させることで当該連結部材によって挟持部同士が離間することを防止でき、かくして不使用時の省スペース化を図ることができる。またＶ字状の連結部材を第１のトング半体及び第２のトング半体に回動自在に設けるだけなので、簡易な構成となり、かつ機械的機構を全て外部に露出させることができ、かくして簡易な構成で洗い易く衛生的なトングを提供することができる。
【００１５】
本発明の請求項２記載のトングによれば、不使用時の省スペース化を確実に図ることができる。
【００１６】
本発明の請求項３記載のトングによれば、一端部及び他端部の面部と、第１のトング半体及び第２のトング半体の内面とを一段と確実に密着させることができ、かくして第１のトング半体及び第２のトング半体に連結部材による弾性力を確実に与えることができる。
【００１７】
本発明の請求項４記載のトングによれば、折り曲げ部及び回動連結部の隙間を設けて第１のトング半体及び第２のトング半体を平行に配置させることができるので、一段と不使用時の省スペース化を図ることができる。
【００１８】
本発明の請求項５記載のトングによれば、使用時及び不使用時に最適な位置に連結部材を容易に配置できる。
【発明を実施するための最良の形態】
【００１９】
以下図面に基づいて本発明の実施の形態を詳述する。
【００２０】
図１において、１は全体として本発明のトングを示し、例えば全体が金属材料からなり、第１のトング半体２と第２のトング半体３との基端側に設けた回動規制機構４を介して回動自在に連結されている。
【００２１】
ここで第１のトング半体２及び第２のトング半体３は、同一形状からなり、挟持部５と、把持部６と、連結金具７と共に回動規制機構４を構成する回動連結部８とが一体成形された構成を有する。なお、説明の便宜上、以下第１のトング半体２についてのみ説明する。
【００２２】
把持部６は、断面長方形状の帯状からなり、一端側に連接するように挟持部５が一体成型されていると共に、他端側に連接するように回動連結部８が一体成形されている。
【００２３】
この把持部６には、一側部に一体成形された板材からなる帯状の突起部11を有する。この突起部11は、第２のトング半体２の内面と対向した第１のトング半体２の内面側にほぼ直角に折り曲げられ、当該第１のトング半体２の内面から僅かに突出するように形成されている。
【００２４】
挟持部５は、把持部６の幅寸法よりも長い幅寸法を有し、ほぼ楕円形状の外郭に波状の装飾が施され、把持部６の突起部11が延長した側部が内面側に向けて僅かに湾曲状に折れ曲げられた構成を有する。
【００２５】
第１のトング半体２の基端に設けた回動連結部８は、板状からなり、第１のトング半体２の一側部から内面側（すなわち第２のトング半体３側）に向けてほぼ直角に折り曲げられた突起形状をなし、中心部分に貫通孔（図示せず）が穿設されている。回動連結部８は、この貫通孔と、第２のトング半体３の回動連結部８の貫通孔とを重ね、これら貫通孔に軸部材12を挿通させた状態で取り付けることで当該軸部材12を中心軸として第１のトング半体２及び第２のトング半体３が回動し得るようになされている。
【００２６】
かかる構成に加えて、回動連結部８が設けられた第１のトング半体２及び第２のトング半体３の基端には、当該第１のトング半体２及び第２のトング半体３の開度を規制し、かつ当該第１のトング半体２及び第２のトング半体３間に所定の弾性力を付与する連結金具７が設けられている。
【００２７】
ここで、この連結金具７は、トング１の使用時、図１に示したように、第１のトング半体２と第２のトング半体３との基端を近接させたまま、当該第１のトング半体２と第２のトング半体３との先端に設けられた挟持部５を弾性力により離間させ、把持部６に外力が加えられていないときには、当該第１のトング半体２及び第２のトング半体３をＶ字状に配置して挟持部５を開状態とし得る。尚、Ｖ字状の配置とは折り返し形状であり、ほぼＵ字状のものみ含まれるものである。
【００２８】
また、この連結金具７は、トング１の不使用時、図２に示すように、第１のトング半体２及び第２のトング半体３間において回動されて折り曲げ部15が挟持部５側へ１８０°反転することにより、当該第１のトング半体２及び第２のトング半体３の挟持部５同士を近接させる方向に弾性力を働かせ、これにより当該第１のトング半体２及び第２のトング半体３をほぼ平行に配置し得るようになされている。
【００２９】
実際上、連結金具７は、第１のトング半体２及び第２のトング半体３の幅寸法と同じ幅寸法からなる板状の金属部材により形成されており、全体としてほぼＶ字状に折り曲げられた板ばね構成を有する。
【００３０】
すなわち、連結部材及び弾性手段としての連結金具７は、Ｖ字状の折り返された折り返し部15から一端部16及び他端部17へゆくに従って、当該一端部16側及び他端部17側間の間隔が次第に広くなってゆき、当該一端部16及び他端部17間に所定の弾性力を備えている。
【００３１】
連結金具７は、Ｖ字状の一端部16が第１のトング半体２における把持部６の内面に回動手段21により回動自在に設けられていると共に、Ｖ字状の他端部17が第２のトング半体３における把持部６の内面に回動手段21により回動自在に設けられている。
【００３２】
これにより連結金具７は、図３（Ａ）に示すように、使用時に折り曲げ部15が第１のトング半体２及び第２のトング半体３の基端に配置されることにより、一端部16及び他端部17間の弾性力によって第１のトング半体２及び第２のトング半体３の挟持部５を離間させ得る。このとき連結金具７は、弾性力によって一端部16及び他端部17の面部全体が第１のトング半体２及び第２のトング半体３の内面に沿って密着し得るように構成されている。
【００３３】
また、連結金具７は、弾性力に抗して第１のトング半体２及び第２のトング半体３に外力が加えられると、図３（Ｂ）に示すように、一端部16及び他端部17が互いに近づく方向に移動し、第１のトング半体２及び第２のトング半体３の先端に設けた挟持部５同士が近接し得るようになされている。
【００３４】
ここで連結金具７は、第１のトング半体２及び第２のトング半体３に対して外力が加えられて挟持部５が当接すると、一端部16及び他端部17の面部が平行に配置されると共に、第１のトング半体２及び第２のトング半体３の内面がほぼ平行に配置され得る。
【００３５】
このように連結金具７は、第１のトング半体２及び第２のトング半体３の内面と、一端部16及び他端部17の面部とがほぼ平行に配置されたとき、一端部16及び他端部17の面部が第１のトング半体２及び第２のトング半体３の内面に沿って摺動しながら回動し得る。
【００３６】
回動手段21は、ねじ等からなる軸部22と、当該軸部22の頭部周辺をカバーするカバー体23と、当該軸部22が螺着される軸受け部24とから構成されている。回動手段21は、連結金具７の一端部16及び他端部17に穿設された貫通孔（図示せず）と、第１のトング半体２及び第２のトング半体３に穿設された貫通孔（図示せず）とが位置決めされた後、連結金具７の内面側からカバー体23を介在させて各軸部22が貫通孔に挿入され、第１のトング半体２及び第２のトング半体３の外面にそれぞれ配置した軸受け部24に螺着されることにより構成されている。
【００３７】
これにより回動手段21は、一端部16及び他端部17において軸部22を中心として第１のトング半体２及び第２のトング半体３に対し連結金具７を回動自在に設けられ得る。
【００３８】
かくして連結金具７は、図４（Ａ）及び（Ｂ）に示すように、挟持部５同士を近接させた状態で、一端部16及び他端部17において軸部22を中心軸として折り曲げ部15を挟持部５に近づける方向に回動されることにより、当該折り曲げ部15が回動連結部８の第１のトング半体２及び第２のトング半体３間から展開して突出し得る。
【００３９】
そして、連結金具７は、さらに折り曲げ部15を挟持部５に近づける方向に回動されることにより、図４（Ｃ）に示すように、挟持部５に最も近づけた位置において折り曲げ部15を再び第１のトング半体２及び第２のトング半体３間に収納し得るようになされている。
【００４０】
なお回動手段21は、軸受け部24に対する軸部22の締め付け度合いを弱めることにより、連結金具７を回動し易くさせ、これに対して軸受け部24に対する軸部22の締め付け度合いを強めることにより、連結金具７を回動し難くさせ、かくして連結金具７の回動し易さを任意に調節できる。
【００４１】
この実施の形態の場合、第１のトング半体２及び第２のトング半体３の内面には、図４（Ｂ）に示すように、所定位置に凹部30が形成されており、折り曲げ部15が挟持部５から最も遠ざかった位置及び最も近づいた位置にあるとき、連結金具７の一端部16及び他端部17の摺動面に設けた凸部31又は32が当該凹部30に嵌め込まれることにより連結金具７が正確に位置決めされ、折り曲げ部15が第１のトング半体２及び第２のトング半体３間から突出しないように配置できる。
【００４２】
また、連結金具７の折り曲げ部15を挟持部５から最も遠ざけた位置となる基端に配置させた際には、当該連結金具７の側部が位置決め部としての回動連結部８に当接することにより位置決めされ、連結金具７の凸部32を凹部30に容易に嵌め込むことができる。さらに、連結金具７の折り曲げ部15を反転させて挟持部５に最も近づけた位置に配置させた際には、当該連結金具７の側部が位置決め部としての突起部11に当接することにより位置決めされ、連結金具７の凸部31を凹部30に容易に嵌め込むことができるようになされている。
【００４３】
このようにして、トング１は、不使用時、図５に示すように、連結金具７の一端部16及び他端部17が、第１のトング半体２及び第２のトング半体３の基端側となる回動連結部８側に配置されることにより、一端部16及び他端部17間に働く弾性力が当該第１のトング半体２及び第２のトング半体３の基端側において第１のトング半体２及び第２のトング半体３を離間させるように働くように構成されている。
【００４４】
かくしてトング１は、挟持部５同士が当接し、折り曲げ部15及び回動連結部８の幅寸法の隙間を設けて第１のトング半体２及び第２のトング半体３がほぼ平行に配置され、全体としてＵ字状になり得る。
【００４５】
以上の構成において、トング１では、使用者が挟持部５で料理等を挟んで小皿に取り分ける等のような使用時、回動手段21を介して連結金具７を回動させ、挟持部５から最も遠ざかった基端に連結金具７の折り曲げ部15を配置させると共に、連結金具７の一端部16及び他端部17を挟持部５側に配置させる。
【００４６】
これにより第１のトング半体２及び第２のトング半体３の把持部６に使用者が外力を与えないときには、連結金具７の一端部16及び他端部17間に働く弾性力によって挟持部５同士を離間させることができる。
【００４７】
従って、このトング１では、使用者が第１のトング半体２及び第２のトング半体３の把持部６を把持して弾性力を抗するような外力を与えることにより、挟持部５同士を近接させることができるので、当該挟持部５間に所望の物品を容易に挟ませることができる。
【００４８】
その後、使用者がトングを使用し終えて保管する等のようなトングの不使用時には、図４（Ａ）、（Ｂ）及び（Ｃ）に示したように、挟持部５から最も遠ざかった基端にある連結金具７の折り曲げ部15を、第１のトング半体２及び第２のトング半体３間から引き出して回動させて１８０°反転させることにより、挟持部５に近づけた位置において第１のトング半体２及び第２のトング半体３間に当該折り曲げ部15が収納する。
【００４９】
これによりトング１では、折り曲げ部15が挟持部５に最も近づく位置に配置されると共に、一端部16及び他端部17が第１のトング半体２及び第２のトング半体３の基端側となる回動連結部８側に配置されることにより、連結金具７の一端部16及び他端部17による弾性力が挟持部５同士を近接させるように働かせることができ、かくして当該連結金具７によって挟持部５同士が離間することを防止できる。
【００５０】
また、このときトング１では、基端に連結回動部８を設けるようにしたことにより、当該連結回動部８によって連結金具７の一端部16及び他端部17間の弾性力を抗することができ、かくして第１のトング半体２及び第２のトング半体３の基端が離間せず、折り曲げ部15及び連結回動部の幅寸法の隙間を設けて第１のトング半体２及び第２のトング半体３をほぼ平行に配置できる。
【００５１】
かくして、このトング１では、不使用時、第１のトング半体２及び第２のトング半体３に対して外力を与えなくとも、当該第１のトング半体２及び第２のトング半体３をほぼ平行に配置した状態にできるので、収容スペースを最も小さくして保管し易くできる。
【００５２】
またトング１では、Ｖ字状に折り曲げられた板状の連結金具７が、第１のトング半体２及び第２のトング半体３の内面に対して軸部22や軸受け部24によって回動自在に設けられているだけなので、機械的機構を外部に全て露出させることができ、かくして使用後に全体を容易に洗うことができる。
【００５３】
以上の構成によれば、第１のトング半体２及び第２のトング半体３の基端に設けられたＶ字状の連結金具７の一端部16及び他端部17を回動手段21により回動自在に設けるようにした。これにより、使用時に挟持部５同士を離間させる弾性力を有する連結金具７を、不使用時に１８０°反転させ、折り曲げ部15を挟持部５に近づけた位置に配置することで、連結金具７の一端部16及び他端部17間の弾性力によって挟持部５同士を近接させ、当該連結金具７によって挟持部５同士が離間することを防止でき、かくして不使用時の省スペース化を図ることができる。
【００５４】
またＶ字状の連結金具７を第１のトング半体２及び第２のトング半体３に回動自在に設けるだけなので、機械的機構を全て外部に露出させ、当該機械的機構に付着した汚れ等を容易に洗い落とすことができ、かくして簡易な構成で洗い易く衛生的なトング１を提供することができる。
【００５５】
また、連結金具７は、折り曲げ部15が挟持部５から遠ざかった位置に配置されると、一端部16及び他端部17間の弾性力によって挟持部５同士を離間させ、折り曲げ部15が挟持部５に近づいた位置に配置されると、第１のトング半体２及び第２のトング半体３の基端を近接させたまま、弾性力によって挟持部５同士を近接させるようにしたことにより、不使用時の省スペース化を確実に図ることができる。
【００５６】
さらに、連結金具７が板状部材からなり、一端部16の面部が第２のトング半体３の内面に回動自在に設けられていると共に、他端部17の面部が第２のトング半体３の内面に回動自在に設けられているようにしたことにより、一端部16及び他端部17の面部と、第１のトング半体２及び第２のトング半体３の内面とを一段と確実に密着させることができ、かくして第１のトング半体２及び第２のトング半体３に連結金具７による弾性力を確実に与えることができる。
【００５７】
さらに、第１のトング半体２及び第２のトング半体３の基端には、当該第１のトング半体２及び第２のトング半体３を回動自在に連結する回動連結部８を備え、折り曲げ部15が挟持部５に近づいた位置に移動したとき、回動連結部８が弾性力を抗するようにしたことにより、折り曲げ部15及び回動連結部８の隙間を設けて第１のトング半体２及び第２のトング半体３を平行に配置させることができるので、一段と不使用時の省スペース化を図ることができる。
【００５８】
さらに、第１のトング半体２及び第２のトング半体３には、折り曲げ部15が挟持部５から遠ざかった位置及び折り曲げ部15が挟持部５に近づいた位置で連結金具７を位置決めする回動連結部８及び突起部11と、凸部31、32及び凹部30とを備えるようにしたことにより、使用時及び不使用時に最適な位置に連結金具７を容易に配置できる。
【００５９】
なお、本発明は、上記の実施の形態に限定されるものではなく、種々の変形実施が可能である。例えば金属部材で形成された連結金具７に替えて、合成樹脂材等の種々の材質で形成した連結部合を用いるようにしても良い。
【００６０】
また、上述した実施の形態においては、連結部材及び弾性手段として、弾性を有する連結金具７を用いるようにした場合について述べたが、本発明はこれに限らず、例えば弾性を有しない連結部材の一端部及び他端部間にスプリングばねを設け、当該スプリングばねによって第１のトング半体２及び第２のトング半体３に弾性力を付与する等、連結部材と弾性手段とを別体で構成するようにしても良い。
【００６１】
さらに、回動連結部８を設けずに連結金具７のみで第１のトング半体２及び第２のトング半体３を連結するようにしても良く、この場合、不使用時、基端を近接させた状態で、かつ弾性力によって挟持部５同士を当接させるように連結金具７が第１のトング半体２及び第２のトング半体３の基端側に設けられ得る。
【００６２】
さらに、上述した実施の形態においては、回動連結部８及び突起部11と、凸部31、32及び凹部30とを設け、連結金具７を位置決めするようにした場合について述べたが、本発明はこれに限らず、回動連結部８及び突起部11と、凸部31、32及び凹部30とのいずれか一方を設けるようにしても良い。
【００６３】
さらに、回動連結部８及び突起部11のうち少なくともいずれか一方のみ、凸部31、32及び凹部30のうち少なくともいずれか一方のみを設け、折り曲げ部15が挟持部５から遠ざかった位置及び折り曲げ部15が挟持部５に近づいた位置のうちいずれか一方の位置でのみ連結金具７を位置決めするようにしても良い。
【図面の簡単な説明】
【００６４】
【図１】使用時のトングの全体構成を示す概略図である。
【図２】不使用時のトングの全体構成（１）を示す概略図である。
【図３】連結金具の折り曲げ部を挟持部から最も遠ざけた位置に配置させたときの様子を示す概略図である。
【図４】連結金具の折り曲げ部を挟持部に最も遠ざけた位置から挟持部に最も近づけた位置まで回動させたときの様子を示す概略図である。
【図５】不使用時のトングの全体構成（２）を示す概略図である。
【符号の説明】
【００６５】
１  トング
２  第１のトング半体
３  第２のトング半体
７  連結金具（連結部材）
８  回動連結部（回動連結部、位置決め部）
11  突起部（位置決め部）
15  折り返し部
16  一端部
17  他端部
21  回動手段
30  凹部（位置決め部）
31、32  凸部（位置決め部）
【図１】
2008188090.tif 000003
【図２】
2008188090.tif 000004
【図３】
2008188090.tif 000005
【図４】
2008188090.tif 000006
【図５】
2008188090.tif 000007